(57)【要約】      （修正有）【課題】複数の駒を確実に連結することが可能で、しかも各部材の組み付けを非常に簡単に行うことができる連鎖状装身具を提供する。【解決手段】宝石類がはめ込まれる複数の駒１５と、各駒を連結する棒状ないし板状の連結体１７とからなる連鎖状の装身具であって、前記駒は上部に宝石類を収納固定する台座部２１を設けた筒状体１９からなり、その側壁には連結体を挿通するスリット２３が形成され、当該スリットに対応する前記駒の筒状体内壁には、筒状体の軸方向に交差するよう係止用の軸ピン２５を取り付け、この軸ピンに前記連結体の端部に形成した軸受部２７を回動可能にはめ込むことにより、各駒が前記スリットの長さ方向に沿って首振り可能としたことを特徴とする連鎖状装身具。【選択図】図１
0003122195.tif 000002
【実用新案登録請求の範囲】
【請求項１】
宝石類がはめ込まれる複数の駒と、各駒を連結する棒状ないし板状の連結体とからなる連鎖状の装身具であって、前記駒は上部に宝石類を収納固定する台座部を設けた筒状体からなり、その側壁には連結体を挿通するスリットが形成され、当該スリットに対応する前記駒の筒状体内壁には、筒状体の軸方向に交差するよう係止用の軸ピンを取り付け、この軸ピンに前記連結体の端部に形成した軸受部を回動可能にはめ込むことにより、各駒が前記スリットの長さ方向に沿って首振り可能としたことを特徴とする連鎖状装身具。
【請求項２】
係止用の軸ピンが、駒の側壁に形成したスリットに近接して取り付けられていることを特徴とする請求項１に記載の連鎖状装身具。
【請求項３】
連結体の端部に形成した軸受部が、細幅の首部と軸ピンの収納部とを備え、細幅の首部を係止用の軸ピンに押し込んで連結されていることを特徴とする請求項１または２に記載の連鎖状装身具。
【考案の詳細な説明】
【技術分野】
【０００１】
この考案はダイヤモンドに代表される宝石類を用いた連鎖状装身具に関するものである。
【背景技術】
【０００２】
従来より多数の駒が連鎖状に連なって構成される装身具は種々提案されている。そして、かかる駒にダイヤモンド等の宝石類がはめ込まれるものが多くあった。
例えば実公平４−４３０５３号公報（特許文献１参照）には、上下２枚の基板（宝石装着可）を複数のポストで連結した個々のパーツ間を、基板間のポストに一方のパーツに取り付けたフック状の止め金を係合して、前記基板の板面に沿って首振り可能としたネックレスが記載されている。
特開２００４−７３７４８公報（特許文献２参照）には、繋ぎ合わされた複数個の小片を蝶番状の連結部で連結して全体形状を他の形状に変化させることができるようにした装飾品が記載されている。
【０００３】
特開２００４−８４２５公報（特許文献３参照）には、貴石が嵌め込まれる多数の駒と、この駒を繋ぐ連鎖駒と、からなるチェ−ン状の装身具であって、前記駒は溝型をなし、その上縁には貴石を止める係止部を備えるとともに、溝型の底部側方に一対の穴が形成されて、これに連鎖駒が嵌め込まれてチェ−ン状に構成することができるようにした装飾品が記載されている。そして連鎖駒は両端をＨ型に張り出させて前記穴から抜けなくして連結するようになっている。特許第３２６８４９３号公報（特許文献４参照）にも同様の連結機構が示されている。
【０００４】
特許第３６３１６７８号公報（特許文献５参照）には、貴石が嵌め込まれる多数の駒（要素）と、この駒を繋ぐリンク部材と、からなる装飾チェーンであって、前記リンク部材の端部には前記駒に係合する軸状の突起（ペグ）が設けられていて駒間を連結し、駒（要素）をチェ−ン状に構成することができるようにした装飾チェーンが記載されている。
特許第３５７２０４１号公報（特許文献６参照）にも、同様の機構を備えた装身具が記載されている。
【特許文献１】実公平４−４３０５３号公報
【特許文献２】特開２００４−７３７４８公報
【特許文献３】特開２００４−８４２５公報
【特許文献４】特許第３２６８４９３号公報
【特許文献５】特許第３６３１６７８号公報
【特許文献６】特許第３５７２０４１号公報
【考案の開示】
【考案が解決しようとする課題】
【０００５】
しかしながら、実公平４−４３０５３号公報（特許文献１参照）のものは、個々のパーツ間の連結にポストとフックとを使用してネックレスであり、連結部分の間隔を自由に調節することが難しいという問題があった。
また、特開２００４−７３７４８公報（特許文献２参照）ものは、繋ぎ合わされた複数個の小片を蝶番状の連結部で連結して全体形状を他の形状に変化させることができるようにした装飾品であるが、この先行技術においても連結部分の間隔を自由に調節することが難しい。
特開２００４−８４２５公報（特許文献３参照）および特許第３２６８４９３号公報（特許文献４参照）のものは、多数の駒を繋ぐ連鎖駒を両端をＨ型に張り出させて抜け止めするようになっており、当該連結部分の自由が少なく、しかも取り付けが面倒であるという欠点があった。
特許第３６３１６７８号公報（特許文献５参照）および特許第３５７２０４１号公報（特許文献６参照）のものは、多数の駒（要素）を繋ぐリンク部材が、その端部に前記駒に係合する軸状の突起（ペグ）が設けたものとなっているが、両端をＨ型に張り出させた前記従来例と同様に、取り付けが面倒であるという欠点があった。
【０００６】
この考案は前記した従来の技術に鑑みてなされたものであり、複数の駒を確実に連結すること可能で、しかも各部材の組み付けを非常に簡単に行うことができる連鎖状装身具を提供することを目的とする。
【課題を解決するための手段】
【０００７】
すなわちこの考案の連鎖状装身具は、宝石類がはめ込まれる複数の駒と、各駒を連結する棒状ないし板状の連結体とからなる連鎖状の装身具であって、前記駒は上部に宝石類を収納固定する台座部を設けた筒状体からなり、その側壁には連結体を挿通するスリットが形成され、当該スリットに対応する前記駒の筒状体内壁には、筒状体の軸方向に交差するよう係止用の軸ピンを取り付け、この軸ピンに前記連結体の端部に形成した軸受部を回動可能にはめ込むことにより、各駒が前記スリットの長さ方向に沿って首振り可能としたことを特徴とするものである。
【０００８】
この考案の連鎖状装身具は、係止用の軸ピンが、駒の側壁に形成したスリットに近接して取り付けられていることをも特徴とするものである。
【０００９】
この考案の連鎖状装身具は、連結体の端部に形成した軸受部が、細幅の首部と軸ピンの収納部とを備え、細幅の首部を係止用の軸ピンに押し込んで連結されていることをも特徴とするものである。
【考案の効果】
【００１０】
この考案は以上のように構成したので、複数の駒を確実に連結すること可能で、しかも各部材の組み付けを非常に簡単に行うことができる連鎖状装身具を提供することができるようになった。
【考案を実施するための最良の形態】
【００１１】
この考案の連鎖状装身具の特徴は、それぞれの駒を構成する筒状体に軸方向に交差するよう係止用の軸ピンを取り付け、この軸ピンに前記連結体の端部に形成した軸受部をはめ込むようにしたものであり、各部材をワンタッチで組み付けることができるようになった。
しかも、各駒は前記スリットの長さ方向に沿って首振り可能であり、したがって、各駒の連結部分の自由度が大きく装身具がしなやかに動くことが可能となったものである。
【００１２】
この考案の連鎖状装身具の駒を構成する筒状体としては、金属製（特に貴金属製）あるいはセラミック製、合成樹脂製等が用いられ、また宝石類の例としてダイヤモンドを例にとって説明するが、ルビ−、サファイヤ等、特に限定はない。
【実施例】
【００１３】
以下、この考案の連鎖状装身具の実施の形態を、図面に基づいてより詳細に説明する。
図面において図１はこの考案の連鎖状装身具の１実施例を示す要部断面図、図２はその平面図、図３はその正面図、図４はこの考案の連鎖状装身具をピアスイヤリングに適用した場合を説明するための正面図、図５はその側面図、図６はその背面図、図７はこの考案の連鎖状装身具の他の実施例を示す要部断面図である。
【００１４】
図１ないし図３に示すように、この考案の連鎖状装身具１１は、ダイヤモンド１３等の宝石類がはめ込まれる複数の駒１５と、各駒１５を連結する棒状ないし板状の連結体１７とからなる。
そして、前記駒１７は上部にダイヤモンド１３を収納固定する台座部２１を設けた筒状体１９からなり、筒状体１９の側壁には連結体１７を挿通するスリット２３が形成され、これに前記連結体１７がはめ込まれる。
【００１５】
前記スリット２３に対応する前記駒１５の筒状体１９の内壁には、筒状体１９の軸方向に交差するよう係止用の軸ピン２５を取り付け、この軸ピン２５に前記連結体１７の端部に形成した軸受部２７をはめ込んだ上、回動可能に保持することにより、各駒１５が前記スリット２３の長さ方向に沿って首振り可能となっている。
そして、前記係止用の軸ピン２５が、駒１５の側壁に形成したスリット２３に近接して取り付けてあるので、軸ピン２５の長さを短くすることができ、したがって軸ピン２５をあまり太くしないでもそれほど軸ピン２５の強度が問題になることがない。
【００１６】
前記駒１５は例えば１８Ｋのパイプよりなり、これをプレス加工によって台座部２１や後述する爪３３を形成するのが好ましいが、鋳造等によって製作することもできる。
また軸ピン２５の形成も、駒１５を構成する筒状体１９の内壁にロー付けしたり、鋳造の場合には鋳造時に一体的に形成してもよい。
【００１７】
前記連結体１７の端部に形成した軸受部２７は、細幅の首部２９と軸ピン２５の収納部３１とを備え、細幅の首部２９を係止用の軸ピン２５に押し込んだ上、前記首部２９の間隙をカシメ等によって狭めることにより抜け止めしている。
このカシメ作業は、前記スリット２３が筒状体１９の端面に開放するよう形成され、また前記係止用の軸ピン２５が、駒１５の側壁に形成したスリット２３に近接して取り付けてあることと相まって、各部材が小さくても無理なく作業を行うことができる。
【００１８】
３３は駒１７を構成する筒状体１９の上面の適所に対向して少なくとも一対形成した爪である。したがって、筒状体１９の内壁の上部に設けた段差状の台座部２１にダイヤモンド１３をそのパビリオン面が接するように搭載し、その上でダイヤモンド１３のクラウン面に前記爪３３を倒して抜け止めすることができる、
もちろん、前記爪３３の数は適宜決定することができ、２〜６の範囲とすることが一般的である。
【００１９】
図４ないし図６はこの考案の連鎖状装身具１１をピアスイヤリングに適用した例を示すものである。
図において、この実施例の連鎖状装身具１１は、ダイヤモンド１３等の宝石類がはめ込まれる５つの駒１５を連結体１７で連結するとともに、最下部には長めの連結体１７を介して６つ目の駒１５を連結している。
そして、最上部の駒１７の背面には、ピアス用のピン３５が取り付けられている。したがってこのピン３５を耳たぶの穴に挿通し、耳たぶの背面でいわゆるキャッチと称する抜け止め具３７をピン３５にはめ込むことにより、身体への装着が完了する。
【００２０】
図７はこの考案の連鎖状装身具１１の他の実施例を示すものである。
この実施例においては、軸ピン４１を駒１７を構成する筒状体１９のほぼ中央に差し渡して取り付けてあり、この軸ピン４１に前記連結体１７の端部に形成した軸受部２７を押し込んだ上、カシメ等によって抜け止めしている。
この例では前記係止用の軸ピン２５を１本で済むようにしてあるので、製造の手間がかからず、また各部材が小さくても無理なく組み付け作業を行うことができる。
【産業上の利用可能性】
【００２１】
以上の通り、この考案の連鎖状装身具は主として装飾の中心となる駒材と、連結体とが容易に連結可能となり、しかも回転可能としたもので、ピアスイヤリングのみならず、ブレスレット、ネックレス等の装身具にも好適に利用することができる。
【図面の簡単な説明】
【００２２】
【図１】この考案の連鎖状装身具の１実施例を示す要部断面図である。
【図２】その平面図である。
【図３】その正面図である。
【図４】この考案の連鎖状装身具をピアスイヤリングに適用した場合を説明するための正面図である。
【図５】その側面図である。
【図６】その背面図である。
【図７】この考案の連鎖状装身具の他の実施例を示す要部断面図である。
【符号の説明】
【００２３】
１１  連鎖状装身具
１３  ダイヤモンド
１５  駒
１７  連結体
１９  筒状体
２１  台座部
２３  スリット
２５  軸ピン
２７  軸受部
２９  首部
３１  収納部
３３  爪
３５  ピアス用のピン
３７  抜け止め具
４１  軸ピン
【図１】
0003122195.tif 000003
【図２】
0003122195.tif 000004
【図３】
0003122195.tif 000005
【図４】
0003122195.tif 000006
【図５】
0003122195.tif 000007
【図６】
0003122195.tif 000008
【図７】
0003122195.tif 000009